(57)【要約】【課題】  ガラスアセンブリを窓枠に取り付ける際の手間を増やすことなく、ガラスアセンブリと窓枠との間に隙間が生じるのを防止したガラス保持機構を提供する。【解決手段】  本発明に係るガラス保持機構１００は、ガラスアセンブリ６０を窓枠５０に対して揺動可能に支持するとともに、窓口５１を塞ぐ閉塞位置に揺動変位したガラスアセンブリ６０を窓枠５０の背面に沿ってスライド移動可能に支持する支持部材８０と、窓枠５０の背面側に設けられてガラスアセンブリ６０の縁部と係合可能な第１〜第３係合部５５，５６，５７とを備え、閉塞位置に揺動変位させたガラスアセンブリ６０を窓枠５０の背面に沿ってスライド移動させることにより、ガラスアセンブリ６０の縁部が各係合部５５，５６，５７と係合して、ガラスアセンブリ６０が窓口５１を塞ぐ状態で窓枠５０の背面側に取付保持されるように構成される。【選択図】  図３
2006333932.tif 000002
【特許請求の範囲】
【請求項１】
遊技盤を保持する枠部材と、前記枠部材の前面側に開閉可能に取り付けられて閉鎖状態において前記遊技盤を視認可能に構成されたガラス扉とを備え、前記ガラス扉が、前後方向に開口した窓口を有して前記枠部材の前面側に開閉可能に取り付けられた窓枠と、前記窓枠の背面側に前記窓口を塞ぐように取り付けられたガラスアセンブリとを有して構成された遊技機において、
前記窓枠の背面側に設けられ、前記ガラスアセンブリを前記窓枠に対して揺動可能に支持するとともに、前記窓枠の背面側に揺動して前記窓口を塞ぐ閉塞位置に変位した前記ガラスアセンブリを前記窓枠の背面に沿ってスライド移動可能に支持する支持部材と、
前記窓枠の背面側に設けられて前記ガラスアセンブリの縁部と係合可能な係合部材とを備え、
前記閉塞位置に揺動変位させた前記ガラスアセンブリを前記窓枠の背面に沿ってスライド移動させることにより、前記ガラスアセンブリの縁部が前記係合部材と係合して、前記ガラスアセンブリが前記窓口を塞ぐ状態で前記窓枠の背面側に取付保持されるように構成されることを特徴とする遊技機のガラス保持機構。
【請求項２】
前記支持部材が前記窓枠の背面側における一方の側部近傍に設けられるとともに、
前記係合部材が前記窓枠の背面側における上部および下部、並びに他方の側部近傍に設けられることを特徴とする請求項１に記載の遊技機のガラス保持機構。
【請求項３】
前記ガラスアセンブリに設けられて前記支持部材に形成されたヒンジ穴に回転自在に係合するヒンジ軸を備え、前記ガラスアセンブリが前記ヒンジ軸を揺動軸として前記窓枠に対し揺動可能に構成されており、
前記ヒンジ軸の側部に互いに平行なガイド面がそれぞれ形成されるとともに、
前記ガイド面同士の間隔に合わせた幅を有するガイド穴が前記支持部材において前記ヒンジ穴より前記ガラスアセンブリのスライド移動する方向へ延びるように形成され、
前記ガラスアセンブリが前記閉塞位置に揺動変位すると、前記ガイド面が前記ガイド穴の延設方向に対して平行になって前記ヒンジ軸が前記ガイド穴を通過可能となり、前記ガラスアセンブリのスライド移動に伴って前記ヒンジ軸が前記ガイド穴を通過するように構成されていることを特徴とする請求項１もしくは請求項２に記載の遊技機のガラス保持機構。
【請求項４】
前記窓枠の背面側に設けられて縁部が前記係合部材と係合した前記ガラスアセンブリのスライド移動を規制するストッパ部材を備え、
前記ストッパ部材は、前記ガラスアセンブリが前記閉塞位置に揺動変位すると前記ガラスアセンブリに押圧されて弾性変形し、前記閉塞位置に揺動変位した前記ガラスアセンブリが前記窓枠の背面側に沿ってスライド移動するとともに前記ガラスアセンブリの縁部が前記係合部材と係合すると復元して前記ガラスアセンブリの側部に係止するように構成されることを特徴とする請求項１から請求項３のうちいずれか一項に記載の遊技機のガラス保持機構。
【発明の詳細な説明】
【技術分野】
【０００１】
本発明は、前後に開口する窓口を有した窓枠の背面側にこの窓口を塞ぐように取り付けられる少なくとも１枚のガラス板を含むガラスアセンブリを有し、このガラスアセンブリを透視させてゲームを行う遊技機のガラス扉に関する。さらに詳しくは、このようなガラス扉においてガラスアセンブリを窓枠に取付保持するためのガラス保持機構に関する。
【背景技術】
【０００２】
上記のようなガラス扉を有する遊技機として、パチンコ機やアレンジボール機、雀球遊技機などの遊技機がある。例えば、この種の遊技機の代表例として例示されるパチンコ機では、開閉搭載枠たる前枠の正面奥部に所定のゲージ設定で遊技領域が形成された遊技盤がセット保持されており、その前面側に遊技領域を透視保護するガラス扉が設けられている。
【０００３】
ガラス扉は、例えば、前後方向に開口する窓口を有して外郭方形状に一体成型された窓枠と、この窓枠の背面側に窓口を塞ぐように取り付けられたガラスアセンブリとを主体として構成されており、窓枠および前枠の左側縁に配設されたヒンジ機構で横開き開閉自在に支持されるとともに、互いの右側縁に配設された施錠装置を利用して閉鎖保持可能に取り付けられている（例えば、特許文献１を参照）。ガラスアセンブリは、前後２枚のガラス板がその周縁を支持する保護フレームに収容されて一体となるように構成される。そして、このガラスアセンブリは、窓枠の背面右側に設けられたガラスヒンジ機構により横開き開閉および着脱が可能に取り付けられ、背面左側に配設された係止部材をガラスアセンブリに係止させることによって窓口を塞ぐ閉止位置に取付保持される。
【特許文献１】特開２００４−２０８９４７号公報
【発明の開示】
【発明が解決しようとする課題】
【０００４】
しかしながら、上述のような従来のガラス扉においては、係止部材が窓枠の背面左側に配設されていたため、ガラス扉（窓枠）の上部および下部においてガラスアセンブリと窓枠との間に隙間が生じ易く、この隙間から異物等が挿入されて不正行為が行われるおそれがあった。これに対し、窓枠の背面側上下にも係止部材を配設することが考えられるが、係止部材の数が増えるため、係止部材をガラスアセンブリに係止させる手間が増え、窓枠に対するガラスアセンブリの取付作業が繁雑となってしまう。
【０００５】
本発明は、このような問題に鑑みて成されたものであり、ガラスアセンブリを窓枠に取り付ける際の手間を増やすことなく、ガラスアセンブリと窓枠との間に隙間が生じるのを防止したガラス保持機構を提供することを目的とする。
【課題を解決するための手段】
【０００６】
このような目的達成のため、本発明に係る遊技機のガラス保持機構は、遊技盤を保持する枠部材（例えば、実施形態における前枠２）と、枠部材の前面側に開閉可能に取り付けられて閉鎖状態において遊技盤を視認可能に構成されたガラス扉とを備え、ガラス扉が、前後方向に開口した窓口を有して枠部材の前面側に開閉可能に取り付けられた窓枠と、窓枠の背面側に窓口を塞ぐように取り付けられたガラスアセンブリとを有して構成された遊技機（例えば、実施形態におけるパチンコ機ＰＭ）において、窓枠の背面側に設けられ、ガラスアセンブリを窓枠に対して揺動可能に支持するとともに、窓枠の背面側に揺動して窓口を塞ぐ閉塞位置に変位したガラスアセンブリを窓枠の背面に沿ってスライド移動可能に支持する支持部材と、窓枠の背面側に設けられてガラスアセンブリの縁部と係合可能な係合部材（例えば、実施形態における第１〜第３係合部５５，５６，５７）とを備え、閉塞位置に揺動変位させたガラスアセンブリを窓枠の背面に沿ってスライド移動させることにより、ガラスアセンブリの縁部が係合部材と係合して、ガラスアセンブリが窓口を塞ぐ状態で窓枠の背面側に取付保持されるように構成される。
【０００７】
また、上述の発明において、支持部材が窓枠の背面側における一方の側部近傍に設けられるとともに、係合部材が窓枠の背面側における上部および下部、並びに他方の側部近傍に設けられることが好ましい。
【０００８】
さらに、上述の発明において、ガラスアセンブリに設けられて支持部材に形成されたヒンジ穴（例えば、実施形態における第１および第２ヒンジ穴８２，８７）に回転自在に係合するヒンジ軸（例えば、実施形態における第１および第２ヒンジ軸７１，７６）を備え、ガラスアセンブリがヒンジ軸を揺動軸として窓枠に対し揺動可能に構成されており、ヒンジ軸の側部に互いに平行なガイド面（例えば、実施形態における第１および第２ガイド面７２，７７）がそれぞれ形成されるとともに、ガイド面同士の間隔に合わせた幅を有するガイド穴（例えば、実施形態における第１および第２ガイド穴８３，８８）が支持部材においてヒンジ穴よりガラスアセンブリのスライド移動する方向へ延びるように形成され、ガラスアセンブリが閉塞位置に揺動変位すると、ガイド面がガイド穴の延設方向に対して平行になってヒンジ軸がガイド穴を通過可能となり、ガラスアセンブリのスライド移動に伴ってヒンジ軸がガイド穴を通過するように構成されていることが好ましい。
【０００９】
また、上述の発明において、窓枠の背面側に設けられて縁部が係合部材と係合したガラスアセンブリのスライド移動を規制するストッパ部材（例えば、実施形態におけるストッパ部９０）を備え、ストッパ部材は、ガラスアセンブリが閉塞位置に揺動変位するとガラスアセンブリに押圧されて弾性変形し、閉塞位置に揺動変位したガラスアセンブリが窓枠の背面側に沿ってスライド移動するとともにガラスアセンブリの縁部が係合部材と係合すると復元してガラスアセンブリの側部に係止するように構成されることが好ましい。
【発明の効果】
【００１０】
本発明によれば、ガラスアセンブリを窓枠の背面に沿ってスライド移動させることにより、ガラスアセンブリの縁部が係合部材と係合して、ガラスアセンブリが窓口を塞ぐ状態で窓枠の背面側に取付保持されるように構成されるため、係合部材の数（あるいは大きさ）に拘わらず、ガラスアセンブリを揺動およびスライド移動させる操作のみで、容易にガラスアセンブリを窓枠に取り付けることができる。これにより、ガラスアセンブリを窓枠に取り付ける際の手間を増やすことなく、ガラスアセンブリの縁部と係合する係合部材の数を増やす（あるいは、係合部材がガラスアセンブリの縁部と係合する部分を大きくする）ことが可能となり、ガラスアセンブリと窓枠との間に隙間が生じるのを防止することができる。
【００１１】
また、支持部材が窓枠の背面側における一方の側部近傍に設けられるとともに、係合部材が窓枠の背面側における上部および下部、並びに他方の側部近傍に設けられることで、ガラスアセンブリの上下左右が窓枠に固定されるため、ガラスアセンブリと窓枠との間に隙間が生じるのをより確実に防止することができる。
【００１２】
さらに、ガラスアセンブリに設けられるヒンジ軸の側部に互いに平行なガイド面がそれぞれ形成されるとともに、ガイド面同士の間隔に合わせた幅を有するガイド穴がヒンジ穴よりガラスアセンブリのスライド移動する方向へ延びるように形成されることで、ガラスアセンブリが閉塞位置に揺動変位したときにだけガラスアセンブリをスライド移動させることが可能となり、ガラスアセンブリを窓枠に取り付ける際の誤操作を防止することができる。
【００１３】
また、係合部材と係合したガラスアセンブリのスライド移動を規制するストッパ部材が、ガラスアセンブリが閉塞位置に揺動変位するとガラスアセンブリに押圧されて弾性変形し、ガラスアセンブリがスライド移動するとともにその縁部が係合部材と係合すると復元してガラスアセンブリの側部に係止するように構成されることで、単純な構造でガラスアセンブリが窓枠から外れてしまうことを防止することができる。
【発明を実施するための最良の形態】
【００１４】
以下、本発明の好ましい実施形態について図面を参照しながら説明する。本発明に係るガラス保持機構を備えた遊技機の代表例としてパチンコ機ＰＭを図１および図２に示している。ここで、図１はパチンコ機ＰＭを正面側から見た斜視図、図２はパチンコ機ＰＭを背面側から見た斜視図である。
【００１５】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられた施錠装置４を利用して常には外枠１と係合連結された閉止状態に保持される。
【００１６】
前枠２の前面側上部には、ガラス扉５が前方に横開き開閉及び着脱可能に取り付けられ、施錠装置４を利用して常には前枠２の前面を覆う閉止状態に保持される。ガラス扉５の背後に位置する前枠上部には、後方から遊技盤１０を着脱可能に収容する収容枠が設けられており、この収容枠に立設姿勢で係止保持された遊技盤１０がガラス扉５を通して視認されるようになっている。
【００１７】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１８】
前枠２の前面における上記ガラス扉５の下側には、遊技球を貯留する上球皿６がヒンジ機構（図示せず）により横開き開閉および着脱可能に取り付けられており、この上球皿６の下側には下球皿７および発射ハンドル８が取り付けられている。また、図示省略するが、上球皿６に前面側が覆われた前枠２の下部領域には遊技補助盤（図示せず）と称される補助機構部が形成されており、この遊技補助盤には、遊技盤１０の遊技領域ＰＡ内に遊技球を発射する遊技球発射装置（図示せず）等が設けられている。
【００１９】
前枠２の背面上部には、図２に示すように、外枠１の背面側における右上部内側の形状に合わせて逆Ｌ字形に形成された第１裏セット盤４０がヒンジ機構（図示せず）により揺動開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿６に導く球払出通路４３等の遊技球の処理機構が設けられている。
【００２０】
前枠２の背面下部には、前枠２の背面下部を覆う第２裏セット盤４５がヒンジ機構（図示せず）により揺動開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２１】
パチンコ機ＰＭは、ガラス扉５、上球皿６、第１および第２裏セット盤４０，４５等が閉鎖施錠された状態で遊技に供され、上球皿６に遊技球を貯留させて発射ハンドル８を回動操作することにより遊技が開始される。発射ハンドル８が回動操作されると、上球皿６に貯留された遊技球は、上球皿６の背面側に位置する遊技球発射装置により１球ずつ遊技領域ＰＡに打ち出され、パチンコゲームが展開される。
【００２２】
次に、ガラス扉５について図３〜図１９を追加参照しながら説明する。ここで、図３はガラス扉５の背面図、図４は第１ヒンジアーム７０の斜視図、図５は第２ヒンジアーム７５の斜視図、図６は図３中の矢印VI−VIに沿った断面図、図７は第２支持部８６の底面図、図８はガラスアセンブリ６０が閉塞位置から離れて揺動変位したときの第１ヒンジ軸７１の底面図、図９はガラスアセンブリ６０が閉塞位置に揺動変位したときの第１ヒンジ軸７１の底面図、図１０は第１ヒンジ軸７１が第１ガイド穴８３に達した状態を示す底面図である。
【００２３】
さらに、図１１は係合状態にある第１係合部５５および第１係合片６６の斜視図、図１２は非係合状態にある第１係合部５５および第１係合片６６の斜視図、図１３は係合状態にある第２係合部５６および第２係合片６７の斜視図、図１４は非係合状態にある第２係合部５６および第２係合片６７の斜視図、図１５は係合状態にある第３係合部５７および係合溝部６８の斜視図、図１６は非係合状態にある第３係合部５７および係合溝部６８の斜視図、図１７は図３中の矢印XVII−XVIIに沿った断面図、図１８はガラスアセンブリ６０が閉塞位置に揺動変位したときのストッパ部９０の平断面図、そして図１９はガラスアセンブリ６０が閉塞位置から離れて揺動変位したときのストッパ部９０の平断面図である。
【００２４】
ガラス扉５は、図３に示すように、前枠２の前面上部に揺動開閉および着脱可能に取り付けられた窓枠５０と、窓枠５０の背面側に揺動開閉および着脱可能に取り付けられたガラスアセンブリ６０とを主体に構成される。窓枠５０は、ＡＢＳ樹脂等の樹脂材料を用いて、中央部分で前後方向に開口した窓穴５１（図１も参照）を有する枠状に一体的に形成され、この窓枠５０の背面側にガラスアセンブリ６０が窓穴５１を塞ぐよう取り付けられる。
【００２５】
ガラスアッセンブリ６０は、図３および図６に示すように、前後２枚のガラス板６１，６２と、各ガラス板６１，６２の周縁を支持する保護フレーム６５とを備えて構成され、前後２枚のガラス板６１，６２が所定間隔をおいて互いに平行となるように保護フレーム６５に収容される。なお、保護フレーム６５は、ＡＢＳ樹脂等の樹脂材料を用いて、各ガラス板６１，６２の周縁部の形状に合わせた枠状に一体的に形成されている。
【００２６】
そして、ガラスアッセンブリ６０は、図３に示すように、本発明に係るガラス保持機構１００を用いて、窓口５１を塞ぐ状態で窓枠５０の背面側に取付保持されるようになっている。ガラス保持機構１００は、ガラスアッセンブリ６０の縁部と係合可能な第１〜第３係合部５５，５６，５７と、ガラスアセンブリ６０を窓枠５０に対して揺動可能に支持するとともに、窓枠５０の背面側で窓口５１を塞ぐガラスアセンブリ６０を窓枠５０の背面に沿ってスライド移動可能に支持する支持部材８０と、ガラスアッセンブリ６０のスライド移動を規制するストッパ部９０とを主体に構成される。
【００２７】
支持部材８０は、図３に示すように、ステンレス等の金属板材を用いて上下方向に延びる細長い板状に形成され、ネジ等の固定手段を用いて窓枠５０の背面右側（右側部近傍）に取り付けられる。支持部材８０の上下には、図３〜図５に示すように、第１支持部８１および第２支持部８６が略水平方向に折り曲げ形成されており、この第１支持部８１および第２支持部８６上にガラスアセンブリ６０が支持されるようになっている。
【００２８】
これに対し、ガラスアセンブリ６０における保護フレーム６５の（背面視）右側部上下には、図３〜図５に示すように、第１ヒンジアーム７０および第２ヒンジアーム７５が背面視右方に延びて形成されており、第１ヒンジアーム７０の底面に、第１支持部８１の第１ヒンジ穴８２と係合可能な第１ヒンジ軸７１が下方に突出して形成されるとともに、第２ヒンジアーム７５の底面に、第２支持部８６の第２ヒンジ穴８７と係合可能な第２ヒンジ軸７６が下方に突出して形成されている。
【００２９】
さらに、第１ヒンジ軸７１の側部には、図６に示すように、平面形の第１ガイド面７２，７２がそれぞれ互いに平行となるように形成されており、第２ヒンジ軸７６の側部には、図７に示すように、第１ガイド面７２，７２と同様にして第２ガイド面７７，７７がそれぞれ形成されている。なお、第１および第２ヒンジ軸７１，７６は、互いに同軸上に位置している。また、第１ガイド面７２の向きは、ガラスアセンブリ６０におけるガラス６１，６２表面の向きと平行であり、第２ガイド面７７の向きは、第１ガイド面７２の向きと同じ向きになっている。
【００３０】
ところで、支持部材８０の第１支持部８１には、図６に示すように、ガラスアセンブリ６０の第１ヒンジ軸７１より僅かに大きい径を有する第１ヒンジ穴８２が形成されており、この第１ヒンジ穴８２に第１ヒンジ軸７１が回転自在に係合するようになっている。また、図７に示すように、第２支持部８６には、ガラスアセンブリ６０の第２ヒンジ軸７６より僅かに大きい径を有する第２ヒンジ穴８７が形成されており、この第２ヒンジ穴８７に第２ヒンジ軸７６が回転自在に係合するようになっている。
【００３１】
そして、第１ヒンジ穴８２に第１ヒンジ軸７１を係合させるとともに、第２ヒンジ穴８７に第２ヒンジ軸７６を係合させることにより、図８に示すように、ガラスアセンブリ６０が第１および第２ヒンジ軸７１，７６を揺動軸として窓枠５０に対して揺動可能に取り付けられる。なお、第２ヒンジ軸７６の長さは第１ヒンジ軸７１よりも長くなっており、先に第２ヒンジ軸７６を第２ヒンジ穴８７に係合させたのち、第１ヒンジ軸７１を第１ヒンジ穴８２に係合させることで、ガラスアセンブリ６０を窓枠５０に取り付けやすいようになっている。
【００３２】
また、第１支持部８１には、図６に示すように、第１ガイド面７２，７２同士の間隔より僅かに大きい幅を有する第１ガイド穴８３が第１ヒンジ穴８２に繋がって形成されており、この第１ガイド穴８３は第１ヒンジ穴８２より背面視左方向、すなわち、ガラスアセンブリ６０がスライド移動する方向へ延びるようになっている。同様に、第２支持部８６には、図７に示すように、第２ガイド面７７，７７同士の間隔より僅かに大きい幅を有する第２ガイド穴８８が第２ヒンジ穴８７に繋がって形成されており、この第２ガイド穴８８は第２ヒンジ穴８７より背面視左方向、すなわち、ガラスアセンブリ６０がスライド移動する方向へ延びるようになっている。
【００３３】
これにより、図９に示すように、ガラスアセンブリ６０が窓枠５０の背面側に揺動して窓口５１を塞ぐ閉塞位置に揺動変位すると、第１および第２ガイド面７２，７７が第１および第２ガイド穴８３，８８の延設方向に対して平行になって第１および第２ヒンジ軸７１，７６が第１および第２ガイド穴８３，８８を通過可能となり、ガラスアセンブリ６０が窓枠５０の背面に沿って背面視左方向へスライド移動できるようになっている。そして、ガラスアセンブリ６０が背面視左方へスライド移動するのに伴って第１および第２ヒンジ軸７１，７６が第１および第２ガイド穴８３，８８に進入し、図１０に示すように、ガラスアセンブリ６０がガラス保持機構１００によって取付保持される所定の閉止固定位置（図３および図６も参照）にスライド移動すると、第１および第２ヒンジ軸７１，７６が（第１および第２ガイド穴８３，８８の左端に当接した状態で）第１および第２ガイド穴８３，８８に達するようになっている。
【００３４】
このようにして、支持部材８０は、ガラスアセンブリ６０を窓枠５０に対して揺動可能に支持するとともに、閉塞位置に揺動変位したガラスアセンブリ６０を窓枠５０の背面に沿ってスライド移動可能に支持するようになっている。そして、第１および第２ヒンジ軸７１，７６の側部に互いに平行な第１および第２ガイド面７２，７７がそれぞれ形成されるとともに、第１および第２ガイド面７２，７７同士の間隔に合わせた幅を有する第１および第２ガイド穴８３，８８が第１および第２ヒンジ穴８２，８７よりガラスアセンブリ６０のスライド移動する方向へ延びるように形成されることで、ガラスアセンブリ６０が閉塞位置に揺動変位したときにだけガラスアセンブリ６０をスライド移動させることが可能となり、ガラスアセンブリ６０を窓枠５０に取り付ける際の誤操作を防止することができる。
【００３５】
さて、第１係合部５５は、図３および図１１に示すように、窓枠５０の背面側上部に平面視Ｌ字形に形成されており、ガラスアセンブリ６０が前述の閉止固定位置にスライド移動した状態で、ガラスアセンブリ６０における保護フレーム６５の上縁部に形成された第１係合片６６と係合するようになっている。一方、ガラスアセンブリ６０が前述の閉塞位置に変位した状態では、図１２に示すように、第１係合片６６が第１係合部５５から離れて（第１係合部５５および第１係合片６６が）非係合状態となるように構成されている。
【００３６】
第２係合部５６は、図３および図１３に示すように、窓枠５０の背面側下部に側面視Ｌ字形に形成されており、ガラスアセンブリ６０が閉止固定位置にスライド移動した状態で、保護フレーム６５の下縁部に形成された第２係合片６７と係合するようになっている。一方、ガラスアセンブリ６０が閉塞位置に変位した状態では、図１４に示すように、第２係合片６７が第２係合部５６から離れて（第２係合部５６および第２係合片６７が）非係合状態となるように構成されている。
【００３７】
第３係合部５７は、図３および図１５に示すように、窓枠５０の背面左側（左側部近傍）上下に平面視Ｌ字形に形成されており、ガラスアセンブリ６０が閉止固定位置にスライド移動した状態で、保護フレーム６５の（背面視）左縁部上下に形成された係合溝部６８とそれぞれ係合するようになっている。一方、ガラスアセンブリ６０が閉塞位置に変位した状態では、図１６に示すように、係合溝部６８が第３係合部５７から離れて（第３係合部５７および係合溝部６８が）非係合状態となるように構成されている。
【００３８】
ストッパ部９０は、図３および図１７に示すように、窓枠５０の背面右側における第１支持部８１と第２支持部８６との間に２つ、前後方向に（曲げによる）弾性変形可能な板状に形成され、窓枠５０の背面側に突出する突起部９１と、ガラスアセンブリ６０における保護フレーム６５の（背面視）右側部に係止可能な係止部９２と、先端側に突起部９１および係止部９２が形成されて弾性変形可能な梁部９３とを有して構成される。そして、図１９から図１８に順に示すように、ガラスアセンブリ６０が閉塞位置に揺動変位すると、係止部９２がガラスアセンブリ６０（保護フレーム６５）に押圧されることでストッパ部９０（梁部９３）が前方へ（曲げ）弾性変形し、さらに、図１８から図１７に順に示すように、閉塞位置に揺動変位したガラスアセンブリ６０が窓枠の背面側に沿って閉止固定位置へスライド移動すると、ストッパ部９０が復元してその係止部９２が保護フレーム６５の（背面視）右側部に係止するようになっている。
【００３９】
これにより、ストッパ部９０によって、閉止固定位置へスライド移動したガラスアセンブリ６０の背面視右方に向けた（すなわち、閉止固定位置から閉塞位置への）スライド移動が規制される。このようなストッパ部９０によれば、単純な構造でガラスアセンブリ６０が窓枠５０から外れてしまうことを防止することができる。
【００４０】
このように構成されるガラス扉５において、ガラスアセンブリ６０を窓枠５０に取り付けるには、まず、支持部材８０の第１ヒンジ穴８２にガラスアセンブリ６０の第１ヒンジ軸７１を係合させるとともに、支持部材８０の第２ヒンジ穴８７にガラスアセンブリ６０の第２ヒンジ軸７６を係合させる。そうすると、支持部材８０によりガラスアセンブリ６０が窓枠５０に対して揺動可能に支持される。
【００４１】
そして、ガラスアセンブリ６０を閉塞位置に揺動変位させ、この状態でガラスアセンブリ６０を窓枠５０の背面に沿って背面視左方向へスライド移動させる。そうすると、図１１１〜図１６に示すように、ガラスアセンブリ６０（保護フレーム６５）の縁部に形成された第１係合片６６、第２係合片６７、および係合溝部６８が、窓枠５０に形成された第１〜第３係合部５５，５６，５７とそれぞれ係合し、図３に示すように、ガラスアセンブリ６０が閉止固定位置に位置して窓口５１を塞ぐ状態で窓枠５０の背面側に取付保持される。
【００４２】
これにより、係合部の数（あるいは大きさ）に拘わらず、ガラスアセンブリ６０を揺動およびスライド移動させる操作のみで、容易にガラスアセンブリ６０を窓枠５０に取り付けることができる。そのため、ガラスアセンブリ６０を窓枠５０に取り付ける際の手間を増やすことなく、ガラスアセンブリ６０の縁部と係合する係合部の数を増やす（あるいは、係合部がガラスアセンブリ６０の縁部と係合する部分を大きくする）ことが可能となり、ガラスアセンブリ６０と窓枠５０との間に隙間が生じるのを防止することができる。
【００４３】
例えば、本実施形態においては、前述したように、支持部材８０が窓枠５０の背面右側（右側部近傍）に設けられるとともに、第１〜第３係合部５５，５６，５７が窓枠５０の背面側における上部および下部、並びに左側（左側部近傍）に設けられている。そのため、ガラスアセンブリ６０の上下左右が窓枠５０に固定されるため、ガラスアセンブリ６０と窓枠５０との間に隙間が生じるのを確実に防止することができる。
【００４４】
なおこのとき、ガラスアセンブリ６０が閉塞位置に揺動変位すると、図９に示すように、第１および第２ヒンジ軸７１，７６に形成された第１および第２ガイド面７２，７７が支持部材８０の第１および第２ガイド穴８３，８８の延設方向に対して平行になる。そして、ガラスアセンブリ６０が背面視左方へスライド移動するのに伴って第１および第２ヒンジ軸７１，７６が第１および第２ガイド穴８３，８８に進入し、ガラスアセンブリ６０が閉止固定位置にスライド移動すると、図１０に示すように、第１および第２ヒンジ軸７１，７６が（第１および第２ガイド穴８３，８８の左端に当接した状態で）第１および第２ガイド穴８３，８８に達する。
【００４５】
またこのとき、ガラスアセンブリ６０が閉塞位置に揺動変位すると、図１８に示すように、ストッパ部９０（係止部９２）がガラスアセンブリ６０（保護フレーム６５）に押圧されて前方へ（曲げ）弾性変形する。そして、閉塞位置に揺動変位したガラスアセンブリ６０が窓枠の背面側に沿って閉止固定位置へスライド移動すると、図１７に示すように、ストッパ部９０が復元してその係止部９２がガラスアセンブリ６０（保護フレーム６５）の（背面視）右側部に係止する。これにより、ストッパ部９０の係止部９２によって、閉止固定位置へスライド移動したガラスアセンブリ６０の背面視右方に向けた（すなわち、閉止固定位置から閉塞位置への）スライド移動が規制される。
【００４６】
なお、ガラスアセンブリ６０を窓枠５０から取り外すには、ストッパ部９０を前方へ（曲げ）弾性変形させて、ガラスアセンブリ６０（保護フレーム６５）に対するストッパ部９０（係止部９２）の係止状態を解除し、この状態で、ガラスアセンブリ６０を窓枠５０に取り付けるときと逆の操作を行えばよい。
【００４７】
以上に説明した本発明の実施形態において、達成される主要な効果を整理すれば、下記のようになる。
【００４８】
第１に、ガラスアセンブリ６０を窓枠５０の背面に沿ってスライド移動させることにより、ガラスアセンブリ６０の縁部が第１〜第３係合部５５，５６，５７と係合して、ガラスアセンブリ６０が窓口５１を塞ぐ状態で窓枠５０の背面側に取付保持されるように構成されるため、係合部の数（あるいは大きさ）に拘わらず、ガラスアセンブリ６０を揺動およびスライド移動させる操作のみで、容易にガラスアセンブリ６０を窓枠５０に取り付けることができる。これにより、ガラスアセンブリ６０を窓枠５０に取り付ける際の手間を増やすことなく、ガラスアセンブリ６０の縁部と係合する係合部の数を増やす（あるいは、係合部がガラスアセンブリ６０の縁部と係合する部分を大きくする）ことが可能となり、ガラスアセンブリ６０と窓枠５０との間に隙間が生じるのを防止することができる。
【００４９】
第２に、支持部材８０が窓枠５０の背面側における右側部近傍に設けられるとともに、各係合部５５，５６，５７が窓枠５０の背面側における上部および下部、並びに左側部近傍に設けられることで、ガラスアセンブリ６０の上下左右が窓枠５０に固定されるため、ガラスアセンブリ６０と窓枠５０との間に隙間が生じるのをより確実に防止することができる。
【００５０】
第３に、第１および第２ヒンジ軸７１，７６の側部に互いに平行な第１および第２ガイド面７２，７７がそれぞれ形成されるとともに、第１および第２ガイド面７２，７７同士の間隔に合わせた幅を有する第１および第２ガイド穴８３，８８が第１および第２ヒンジ穴８２，８７よりガラスアセンブリ６０のスライド移動する方向へ延びるように形成されることで、ガラスアセンブリ６０が閉塞位置に揺動変位したときにだけガラスアセンブリ６０をスライド移動させることが可能となり、ガラスアセンブリ６０を窓枠５０に取り付ける際の誤操作を防止することができる。
【００５１】
第４に、また、各係合部５５，５６，５７と係合した（閉止固定位置にスライド移動した）ガラスアセンブリ６０のスライド移動を規制するストッパ部９０の係止部９２が、ガラスアセンブリ６０が閉塞位置に揺動変位するとガラスアセンブリ６０に押圧されて弾性変形し、ガラスアセンブリ６０がスライド移動するとともにその縁部が各係合部５５，５６，５７と係合すると復元してガラスアセンブリ６０の（背面視）右側部に係止するように構成されることで、単純な構造でガラスアセンブリ６０が窓枠５０から外れてしまうことを防止することができる。
【００５２】
なお、上述の実施形態において、第１〜第３係合部５５，５６，５７が窓枠５０の背面側における上部および下部、並びに左側部近傍に設けられているが、これに限られるものではなく、例えば、係合部が窓枠５０の背面側上部から左側を通過して下部まで延びる円弧状に形成されるようにしてもよい。
【００５３】
また、上述の実施形態において、支持部材８０が窓枠５０の背面側における右側部近傍に設けられているが、これに限られるものではなく、左側部近傍に設けられてもよい。なおこのとき、第３係合部は窓枠５０の背面側における右側部近傍に設けられる。さらには、支持部材８０が（ヒンジ軸が斜めになるように）窓枠５０に対して斜めに取り付けられるようにしてもよい。
【００５４】
さらに、上述の実施形態において、第１〜第３係合部５５，５６，５７が窓枠５０の背面側に一体に形成されているが、これに限られるものではなく、窓枠５０と別体に形成した係合部材を窓枠５０に取り付けるようにしてもよい。
【００５５】
また、上述の実施形態において、ガラスアセンブリ６０（保護フレーム６５）の縁部に、第１〜第３係合部５５，５６，５７と係合可能な第１係合片６６、第２係合片６７、および係合溝部６８がそれぞれ形成されているが、これに限られるものではなく、ガラスアセンブリ６０の縁部が各係合部と係合可能に構成されていればよい。
【００５６】
さらに、上述の実施形態において、本発明に係るガラス保持機構を備えた遊技機としてパチンコ機ＰＭを例に説明しているが、これに限られるものではなく、例えば、アレンジボール機や雀球遊技機等の遊技機に対しても本発明を適用することができる。
【図面の簡単な説明】
【００５７】
【図１】本発明に係るガラス保持機構を備えた遊技機の一例であるパチンコ機を正面側から見た斜視図である。
【図２】上記パチンコ機を背面側から見た斜視図である。
【図３】ガラス扉の背面図である。
【図４】第１ヒンジアームの斜視図である。
【図５】第２ヒンジアームの斜視図である。
【図６】図３中の矢印VI−VIに沿った断面図である。
【図７】第２支持部の底面図である。
【図８】ガラスアセンブリが閉塞位置から離れて揺動変位したときの第１ヒンジ軸の底面図である。
【図９】ガラスアセンブリが閉塞位置に揺動変位したときの第１ヒンジ軸の底面図である。
【図１０】第１ヒンジ軸が第１ガイド穴に達した状態を示す底面図である。
【図１１】係合状態にある第１係合部および第１係合片の斜視図である。
【図１２】非係合状態にある第１係合部および第１係合片の斜視図である。
【図１３】係合状態にある第２係合部および第２係合片の斜視図である。
【図１４】非係合状態にある第２係合部および第２係合片の斜視図である。
【図１５】係合状態にある第３係合部および係合溝部の斜視図である。
【図１６】非係合状態にある第３係合部および係合溝部の斜視図である。
【図１７】図３中の矢印XVII−XVIIに沿った断面図である。
【図１８】ガラスアセンブリが閉塞位置に揺動変位したときのストッパ部の平断面図である。
【図１９】ガラスアセンブリが閉塞位置から離れて揺動変位したときのストッパ部の平断面図である。
【符号の説明】
【００５８】
ＰＭ  パチンコ機（遊技機）
ＰＡ  遊技領域
２  前枠（枠部材）
５  ガラス扉
１０  遊技盤
５０  窓枠
５１  窓口
５５  第１係合部（係合部材）
５６  第２係合部（係合部材）
５７  第３係合部（係合部材）
６０  ガラスアセンブリ
６１  ガラス板
６２  ガラス板
６５  保護フレーム
６６  第１係合片
６７  第２係合片
６８  係合溝部
７１  第１ヒンジ軸
７２  第１ガイド面
７６  第２ヒンジ軸
７７  第２ガイド面
８０  支持部材
８１  第１支持部
８２  第１ヒンジ穴
８３  第１ガイド穴
８６  第２支持部
８７  第２ヒンジ穴
８８  第２ガイド穴
９０  ストッパ部（ストッパ部材）
１００  ガラス保持機構
【図１】
2006333932.tif 000003
【図２】
2006333932.tif 000004
【図３】
2006333932.tif 000005
【図４】
2006333932.tif 000006
【図５】
2006333932.tif 000007
【図６】
2006333932.tif 000008
【図７】
2006333932.tif 000009
【図８】
2006333932.tif 000010
【図９】
2006333932.tif 000011
【図１０】
2006333932.tif 000012
【図１１】
2006333932.tif 000013
【図１２】
2006333932.tif 000014
【図１３】
2006333932.tif 000015
【図１４】
2006333932.tif 000016
【図１５】
2006333932.tif 000017
【図１６】
2006333932.tif 000018
【図１７】
2006333932.tif 000019
【図１８】
2006333932.tif 000020
【図１９】
2006333932.tif 000021